(57)【特許請求の範囲】
【請求項１】
本体と把持部材が開閉可能に結合された折り畳み式ヘアブラシであって、本体に取り付けられた基板の表面にブリッスルが設けられ、可動部材が基板の裏面に結合され、その可動部材が把持部材の開閉と共に移動しながら基板を変形させることによりブリッスルを拡開させ又はブリッスルを収縮させ、把持部材を開くときにその把持部材の動きに連動してブリッスルが拡開し、把持部材を閉じるときにその把持部材の動きに連動してブリッスルが収縮することを特徴とするヘアブラシ。
【請求項２】
把持部材を開くときに基板が変形し表面側に凸状に突出してブリッスルが自動的に拡開し、把持部材を閉じるときに基板が元の位置に戻ってブリッスルが自動的に収縮する請求項１記載のヘアブラシ。
【請求項３】
本体と把持部材はヒンジ結合され、前記可動部材はヒンジ軸と平行な軸線のまわりに旋回可能にヘアブラシに取り付けられ、その可動部材の端部が基板の裏面と結合しており、可動部材の旋回によって可動部材の端部が上昇又は下降して基板を変形させる請求項１記載のヘアブラシ。
【発明の詳細な説明】
【技術分野】
【０００１】
本発明は、携帯に便利な折り畳み式ヘアブラシに関する。
【背景技術】
【０００２】
折り畳み式ヘアブラシであって、把持部材が閉じられているときはブリッスルが収縮しており、把持部材を開くときにブリッスルが自動的に拡開するヘアブラシは存在する（例えば、特許文献１参照。）。
【特許文献１】特開平１０−２５７９２４号公報
【発明の開示】
【発明が解決しようとする課題】
【０００３】
本発明は、折り畳み式ヘアブラシであって、把持部材を開くときにブリッスルが自動的に拡開し、把持部材を閉じるときにブリッスルが自動的に収縮する折り畳み式ヘアブラシを提供することを課題とする。
【０００４】
特許文献１に記載されたヘアブラシのように、把持部材を開くときにブリッスルが自動的に拡開して使用状態とすることができるヘアブラシは従来から存在する。しかし、把持部材を閉じるときにブリッスルが自動的に収縮するヘアブラシは存在しない。
【０００５】
特許文献１のヘアブラシは、ヘアブラシの基板の裏面を表面側に向かって押圧するための押圧部材が設けられている。この押圧部材は把持部材の一端に形成されている。そして、この押圧部材は、ヘアブラシを使うために把持部材を開いた状態にしたときに、把持部材と共に回動して基板の裏面を押し上げるように形成されている。押し上げられた基板は表面方向に向かって撓むので、それに連動してブラシが広がりヘアブラシとして使用可能な状態となる構成である。
【０００６】
また、特許文献１の本体と把持部材は支軸によってヒンジ結合されている。そして、押圧部材は把持部材の一端に形成されていて、把持部材と共に支軸を中心として回動し基板の裏面を押し上げる構成である。押圧部材が基板を押し上げる作用をしているときは、押圧部材は支軸を通る縦方向の垂直線を中心として本体側に存在している。そして、把持部材を閉じるときはその回転と共に押圧部材も回転し、把持部材を完全に閉じたときに押圧部材は支軸を通る縦方向の垂直線を中心として本体と反対側に突出する。このような構造であるから、閉じられている把持部材を開いて使用状態にするときに、押圧部材は支軸を通る縦方向の垂直線を越えて基板の裏側に到達して押圧する。したがって、押圧部材が基板の裏側に接触して押圧するために、基板の裏面を覆う部材があってはならない。押圧部材がその部材に当たって基板の裏面に到達しないからである。このために、基板の裏面は本体の底面から剥き出し状態であり、把持部材を閉じても埃などがブラシ内に侵入してしまうという欠点がある。また、押圧部材が本体と反対側に突出するので携帯時に邪魔であり、バッグから取り出すときなどに引っ掛かるおそれもある。そこで、本発明は、本体と把持部材を折り畳んだときに本体の底面から埃が侵入することがなく、邪魔な突出部の存在しない洗練された外観を有する折り畳み式ヘアブラシをも提供しようとするものである。
【課題を解決するための手段】
【０００７】
本発明の請求項１は、本体と把持部材が開閉可能に結合された折り畳み式ヘアブラシであって、本体に取り付けられた基板の表面にブリッスルが設けられ、可動部材が基板の裏面に結合され、その可動部材が把持部材の開閉と共に移動しながら基板を変形させることによりブリッスルを拡開させ又はブリッスルを収縮させ、把持部材を開くときにその把持部材の動きに連動してブリッスルが拡開し、把持部材を閉じるときにその把持部材の動きに連動してブリッスルが収縮する構成である。
【０００８】
請求項２は、把持部材を開くときに基板が変形し表面側に凸状に突出してブリッスルが自動的に拡開し、把持部材を閉じるときに基板が元の位置に戻ってブリッスルが自動的に収縮する構成である。
【０００９】
請求項３は、本体と把持部材はヒンジ結合され、前記可動部材はヒンジ軸と平行な軸線のまわりに旋回可能にヘアブラシに取り付けられ、その可動部材の端部が基板の裏面と結合しており、可動部材の旋回によって可動部材の端部が上昇又は下降して基板を変形させる構成である。
【発明の効果】
【００１０】
請求項１は、本体に取り付けられた基板の表面にブリッスルが設けられ、可動部材が基板の裏面に結合され、その可動部材が把持部材の開閉と共に移動しながら基板を変形させることによりブリッスルを拡開させ又はブリッスルを収縮させ、把持部材を開くときにその把持部材の動きに連動してブリッスルが拡開し、把持部材を閉じるときにその把持部材の動きに連動してブリッスルが収縮する。したがって、従来のように把持部材を開くときにブリッスルが自動的に拡開すると共に、把持部材を閉じるときにもブリッスルが自動的に収縮するので取り扱いに便利である。従来の折り畳み式ヘアブラシは、把持部材を閉じるときにブリッスルが自動的に収縮せず、指でブリッスルを本体内に押し込めていたので面倒であったが、本発明はそのような面倒さがなく使いやすい。また、可動部材が基板の裏面に結合され、その可動部材が把持部材の開閉と共に移動しながら基板を変形させることによりブリッスルを拡開させ又はブリッスルを収縮させる。可動部材が基板の裏面に結合されているので、基板を確実に変形させることができ、特に拡開しているブリッスルを確実に収縮させることができる。
【００１１】
請求項２は、把持部材を開くときに基板が変形し表面側に凸状に突出してブリッスルが自動的に拡開し、把持部材を閉じるときに基板が元の位置に戻ってブリッスルが自動的に収縮する構成である。すなわち、基板を変形させてブリッスルを自動的に拡開し又は変形した基板を元の位置に戻すことでブリッスルを自動的に収縮するので構造を簡単なものにすることができる。また、基板を変形させるための基板変形部材が移動したり変形したりすることにより基板が変形してブリッスルが自動的に拡開したあとで、ブリッスルを自動的に収縮させるときに、基板変形部材がその移動又は変形した軌跡を逆方向にたどって元の位置に復帰してブリッスルが収縮するようにすることもできる。このように構成した場合は、基板変形部材の一定方向への往復運動によりブリッスルを拡開及び収縮できるから、さらに簡単な構造でヘアブラシを製造できる。
【００１２】
請求項３は、本体と把持部材はヒンジ結合され、前記可動部材はヒンジ軸と平行な軸線のまわりに旋回可能にヘアブラシに取り付けられ、その可動部材の端部が基板の裏面と結合しており、可動部材の旋回によって可動部材の端部が上昇又は下降して基板を変形させる構成である。前述したように特許文献１の押圧部材は把持部材と共にヒンジ軸を中心に回転する構造であったから、把持部材を閉じたときに押圧部材が折り畳んだヘアブラシの延長方向に突出して邪魔であり、ヘアブラシの折り畳み効果が半減していた。請求項４の可動部材は特許文献１の押圧部材に相当する部材であるが、その可動部材はヒンジ軸を中心に回転する構造でなく、ヒンジ軸の周りを旋回する構造である。したがって、その旋回は基板の裏側で行うことが可能であるから、把持部材を閉じたときも可動部材が折り畳んだヘアブラシの延長方向に突出することがなく、コンパクトな折り畳み式ヘアブラシを提供することができる。
【発明を実施するための最良の形態】
【００１３】
次に、本発明の実施形態について説明する。図１は、本発明の折り畳み式ヘアブラシ１を開いて使用状態とした斜視図である。ヘアブラシ１は、本体２と、基板３と、ブリッスル４と、把持部材５を含む。さらに、本発明のヘアブラシ１は、図７に示すように可動部材６を含む。本体２と把持部材５はヒンジ結合され、折り畳むことができる。
【００１４】
本体２は、中空でほぼ矩形に形成されており、端部に蓋３６が取り付けられている。本体２の両側面部８，８は共に断面がコ字形に形成されることにより、両側面部８，８の内面の長さ方向に条溝４５，４５が形成されている。この条溝４５，４５は、基板３を取り付けるためのものである。本体２のヒンジ側の端部には、ヒンジを構成する第一軸受９と第二軸受１０と、さらにそれらの内側に凹面３８、３９が設けられている。また、本体２の底面部３５のヒンジ側端部から長さ方向に凹所３７が設けられている。この凹所３７の凹所面４３に可動部材６がこすれながら旋回しつつ基板３を裏面から押圧する。
【００１５】
基板３は、合成樹脂などの弾力性のある材料で形成されており、その表面に多数のブリッスル４が一体に設けられている。ブリッスル４は基板３と一体でなく接着によるものでも植毛によるものでもよい。図３又は図４に示すように、基板３は薄板状に形成され、形状はほぼ矩形をなす。基板３の長さ方向の両側に丸棒状の棒状縁部７，７が一体に設けられている。この棒状縁部７，７は、本体２に設けられた条溝４５，４５に緩やかに嵌め込まれている。図３に示すように、把持部材５が閉じられた状態で基板３は下方すなわち本体２の底面部３５側に凸の弧状をなすように曲がり、基板３に設けられたブリッスル４はブリッスル同士が近づく収縮状態にある。また、把持部材５の内面が弧状であり、収縮したブリッスル４の先端がこの弧状内面に接触してブリッスル４の収縮状態を適切に維持する。基板３は弾力性のある材料で形成されており、且つ棒状縁部７，７は条溝４５，４５に緩やかに嵌め込まれているので、基板３は図４に示すように上方すなわち本体２の底面部３５から離れる方向に凸の弧状をなすように撓むことができる。このとき、基板３に設けられたブリッスル４はブリッスル同士が離れるように拡開する。したがって、図３はヘアブラシ１を使用しない状態を示し、図４はヘアブラシ１を使用する状態を示している。
【００１６】
把持部材５は、中空でほぼ矩形に形成されており、端部に蓋４０が取り付けられている。把持部材５のヒンジ側の端部には、ヒンジを構成する第三軸受１１と第四軸受１２と、さらにそれらの外側に凹面４１，４２が設けられている。把持部材５は両側面部４４，４４を有しており、把持部材５を閉じたときに把持部材５の両側面部４４，４４と本体２の両側面部８，８が密接し、把持部材５の蓋４０と本体２の蓋３６が密接するので、ヘアブラシ１の内部に埃が入り込まない。また、把持部材５の両側面部４４，４４と本体２の両側面部８，８が密接することにより、ヘアブラシ１は折り畳み状態を維持することができ、外から押す力などが加わったときもつぶれたりすることがなく、ブリッスル４の変形や破損を防止できる。
【００１７】
次に、把持部材５を本体２に対して開閉可能にする構造について説明する。把持部材５を本体２に対して開閉可能にする手段はヒンジ構造である。図５は、そのヒンジ構造の分解図である。図５において、ヒンジ構造の対象となる部材又は部分は、本体２に設けられた第一軸受９及び第二軸受１０と、把持部材５に設けられた第三軸受１１及び第四軸受１２と、ヒンジ軸１３と、ヒンジユニット１４である。連結軸２８は可動部材６を連結するためのものであって、ヒンジ構造の対象ではない。本体２と把持部材５がヒンジ結合されるとき、第三軸受１１と第四軸受１２は、第一軸受９と第二軸受１０との間に位置する。本体２のヒンジ部分に設けられた円弧状の凹面３８，３９、及び把持部材５のヒンジ部分に設けられた円弧状の凹面４１，４２は、それぞれヒンジを円滑に回転するためのものである。
【００１８】
ヒンジ軸１３を挿通するための軸孔として、第一軸受９に第一軸孔１５が設けられ、第三軸受１１には図６に示すように第三軸孔１７が設けられている。ヒンジ軸１３は、第一軸孔１５を通って第三軸孔１７まで挿通されている。ヒンジ軸１３が第一軸受９及び第三軸受１１に完全に取り付けられたときに、ヒンジ軸１３の中心軸線は把持部材５の回転中心を通りヒンジ軸線と一致する。また、ヒンジユニット１４を挿通するための軸孔として、第二軸受１０に第二軸孔１６が設けられ、第四軸受１２に第四軸孔１８が設けられている。ヒンジユニット１４は第二軸孔１６を通って第四軸孔１８まで挿通されている。ヒンジユニット１４が第二軸受１０及び第四軸受１２に完全に取り付けられたときに、ヒンジユニット１４の中心軸線も把持部材５の回転中心を通りヒンジ軸線と一致する。ヒンジユニット１４は、把持部材５を開くときに把持部材５が完全に開くやや前でヒンジに回転付勢を与え、その回転付勢により把持部材５が自動的に回転して完全に開くようにするための部品である。また、そのヒンジユニット１４は完全に開いた把持部材５を、回転付勢により開いた状態に維持する作用もなす。このヒンジユニット１４は把持部材５が閉じるときも同様の作用をなす。ヒンジユニット１４は公知の部品であって、携帯電話の蓋が完全に開く瞬間にヒンジに回転付勢を与えて自動的に勢いよく開くようにするための部品と同じものであり、公知の構造である。以上述べた本体２と把持部材５の結合構造により把持部材５は本体２に対し開閉自在であって、把持部材５が完全に開くやや前にヒンジユニット１４が与える回転付勢によって把持部材５は自動的に開く。なお、符号１９は取り付けたヒンジユニット１４の端部を覆う蓋である。
【００１９】
次に、図３に示すようにブリッスル４が収縮した状態から、図４に示すように基板２が上方に凸の弧状をなすように撓んでブリッスル４が拡開して使用状態とし、さらにその使用状態から元の収縮した状態に復帰する構成について説明する。基板３を直接的に変形させる部材は、図７に示す可動部材６である。可動部材６は合成樹脂で一体に形成されている。可動部材６は、く字形に曲がっており、その屈曲点２０よりも前方すなわち図７で左側にあるアーム２１と後方すなわち図７で右側にある基部２２とから成る。アーム２１の端部は基板３の裏面２３に設けられた結合突起２４と軸２５を中心に回動可能に結合されている。また、基部２２には連結用軸孔２６が設けられている。この連結用軸孔２６と、把持部材５の第三軸受１１に設けられた連結用軸孔２７と、第四軸受１２に設けられた連結用軸孔４６とに連結軸２８を挿通することによって、可動部材６の基部２２が第三軸受１１と第四軸受１２に連結される。なお、符号３３は、可動部材６の屈曲点２０に設けられた突起であって、可動部材６の移動を安定させるためのものである。
【００２０】
ヘアブラシ１が組み立てられたときに、図１に示すようにヒンジ部分において最も外側に本体２の第一軸受９と第二軸受１０が位置し、その内側に把持部材５の第三軸受１１と第四軸受１２が位置し、最も内側である中央に可動部材６の基部２２が位置する。把持部材５を開いて使用状態としたときの全長は約１７０ｍｍである。折り畳んだときの長さ方向の長さは約９０ｍｍであり、幅は約３６ｍｍであり、最大厚みは約２５ｍｍである。ただし、本発明がこれらの数値に限定されないことは勿論である。
【００２１】
図１０は、図５に示された第三軸受１１の内面２９を表した図である。図５は把持部材５が本体２に対して開いた状態の分解図であり、この把持部材５が開いた状態で内面２９の頂点３０は図１０に示すように右下に存在する。符号３１はヒンジ軸線、すなわち把持部材５の回転中心を表示したものである。このことから、連結用軸孔２７は回転中心３１から偏倚していることが理解できる。連結用軸孔４６も同様である。図９は、把持部材５を閉じたときの第三軸受１１の内面２９を表した図である。把持部材５は開閉により１８０度回転するから、第三軸受１１の内面２９も第９図から第１０図の状態になるまで１８０度回転している。頂部３０の位置の変化が把持部材５の動きを示している。把持部材５を閉じた状態の図９から把持部材５を開くと、連結用軸孔２７は半円３２上を矢印方向に移動して図１０の位置となる。連結用軸孔２７と連結用軸孔４６と可動部材６の連結用軸孔２６に連結軸２８が挿通されていて、可動部材６の基部２２を把持部材５の第三軸受１１と第四軸受１２に連結している。したがって、把持部材５を閉じた状態から徐々に開いていくと、図９に示すように連結用軸孔２７は半円３２上を円運動し、同時に連結軸２８及び可動部材６の連結用軸孔２６も連結用軸孔２７と位置を同じくして円運動する。また、連結用軸孔４６も同様に円運動する。可動部材６はこのように移動するので、可動部材６は連結用軸孔２６に挿通された連結軸２８に対して相対的に回転するが、連結軸２８自身が回転中心３１を中心に円運動している。したがって、可動部材６の運動は回転中心３１を中心とした回転運動とはならず、可動部材６は回転中心３１のまわりで旋回運動をする。
【００２２】
この可動部材６の旋回運動は図１１及び図１２に表されている。図１１は把持部材５を閉じた状態である。したがって、可動部材６の連結用軸孔２６は、図９の連結用軸孔２７の位置にある。図１２は把持部材５を開いた状態である。したがって、可動部材６の連結用軸孔２６は、図１０の連結用軸孔２７の位置にある。図９に示したように、連結用軸孔２７は把持部材５を開いたときに移動後の連結用軸孔３４に移動する。これにより、連結用軸孔２７は移動後にやや下方すなわち図９で下方向で、やや前方すなわち図９で左方向に位置を変える。連結用軸孔２６も同様である。したがって、可動部材６の連結用軸孔２６も同じように移動する。可動部材６の連結用軸孔２６が下がるときに、可動部材６の屈曲点２０は本体２の凹所面４３に当たって下がることができない。そこで、可動部材６は屈曲点２０が下がらないことの反作用として基板３を押圧する。ここで、可動部材６は旋回運動を開始し、可動部材６の屈曲点２０が凹所面４３上をこすれながらやや前方に移動しつつ、可動部材６は屈曲点２０を支点とする梃子運動によりそのアーム２１の端部が上昇して基板３を裏面から押圧するのである。そして、裏面から押圧された基板３は上側に凸状に変形して突出する。これにより、図４に示すようにブリッスル４は拡開する。この際、前述したように連結用軸孔２７及び連結用軸孔４６は移動後にやや下方でやや前方に位置を変えるから、押圧され変形した基板３もやや前方に移動することになる。上側に凸状に突出した基板３は、ヒンジユニット１４の作用及び可動部材の屈曲点２０と本体２の凹所面４３の摩擦力により、基板３自身の弾力で元の位置に戻ることはない。
【００２３】
以上の操作により、把持部材５を開くと自動的にブリッスル４が拡開しヘアブラシとして使用することができる。使用後は把持部材５を閉じるのであるが、把持部材５を閉じると共に可動部材６は把持部材５を開くときと反対の方向に旋回し基板３を引き下げる。これによりブリッスル４は自動的に収縮する。このように、ブリッスル４を拡開させ、又は収縮させるための作用はすべて本体２の底面部３５と基板３との間で行われる。したがって、底面部３５が本体２の底面を全面的に覆う構造とすれば、その底面から本体２の内部に埃が入らない。ただし、ブリッスル４が拡開し収縮することができれば、底面部３５が本体２の底面の全面を覆わなくてもよい。例えば、可動部材６を用いたときに、それとこすれあう本体２の凹所面４３が確保できればよい。
【００２４】
図１及び図２に示すように、本体２及び把持部材５は携帯電話機の外形に似た形状である。したがって、携帯電話機と同じように携帯に適した形状である。また、あたかもおしゃれな携帯電話機を操作するような感覚で使用することができる。人前で使用するときにはそのおしゃれな形状で人目を引くことができる。
【００２５】
なお、本発明は前述した構成に基づいて種々の態様をとることが可能である。例えば、本体２及び把持部材５を透明としてブリッスル４が外側から目視でき、あるいはブリッスル４が収縮状態から拡開状態に変化する構造を目視できるようにしてもよい。また、把持部材５を開く際に、ブリッスル４に薬剤や芳香剤や整髪剤を供給する装置を設けてもよい。また、把持部材５を開くときに自動的にブリッスル４を加温する装置を設けてもよい。さらに、把持部材５の開閉に合わせて音を出したり点灯したりする装置を設けてもよい。
【図面の簡単な説明】
【００２６】
【図１】把持部材を開いた本発明の斜視図
【図２】把持部材を閉じた本発明の側面図
【図３】図２におけるＡ−Ａ端面図
【図４】把持部材を開いた状態のＡ−Ａの部分の端面図
【図５】本体を左側に置いた状態のヒンジ部分の分解図
【図６】本体を右側に置いた状態のヒンジ部分の分解図
【図７】可動部材とそれに結合された基板の側面図
【図８】可動部材とそれに結合された基板の裏面図
【図９】把持部材を閉じた状態の第三軸受の内面図
【図１０】把持部材を開いた状態の第三軸受の内面図
【図１１】ブリッスルが収縮している状態を示す断面図
【図１２】ブリッスルが拡開している状態を示す断面図
【符号の説明】
【００２７】
１  ヘアブラシ
２  本体
３  基板
４  ブリッスル
５  把持部材
６  可動部材
７  棒状縁部
８  本体の側面部
９  第一軸受
１０  第二軸受
１１  第三軸受
１２  第四軸受
１３  ヒンジ軸
１４  ヒンジユニット
１５  第一軸孔
１６  第二軸孔
１７  第三軸孔
１８  第四軸孔
１９  蓋
２０  屈曲点
２１  アーム
２２  基部
２３  基板の裏面
２４  結合突部
２５  軸
２６  連結用軸孔
２７  連結用軸孔
２８  連結軸
２９  第三軸受の内面
３０  頂点
３１  回転中心
３２  半円
３３  突起
３４  移動後の連結用軸孔
３５  本体の底面部
３６  蓋
３７  凹所
３８  凹面
３９  凹面
４０  蓋
４１  凹面
４２  凹面
４３  凹所面
４４  把持部材の側面部
４５  条溝
４６  連結用軸孔
【図１】
0005345791.tif 000002
【図２】
0005345791.tif 000003
【図３】
0005345791.tif 000004
【図４】
0005345791.tif 000005
【図５】
0005345791.tif 000006
【図６】
0005345791.tif 000007
【図７】
0005345791.tif 000008
【図８】
0005345791.tif 000009
【図９】
0005345791.tif 000010
【図１０】
0005345791.tif 000011
【図１１】
0005345791.tif 000012
【図１２】
0005345791.tif 000013